(57)【要約】【課題】釣糸にうき、釣針、錘、疑似餌その他の釣部品を取付けるのに使用する取付具及びそのような取付具を備えた釣部品に関し、釣糸を切ったり結んだりしないで釣糸途中の所望の箇所に簡単に釣部品を取付けることができる取付具を提供する。【解決手段】剛性を備えた線材でＶ字状ないしΩ状のループ部１とその両端のコイル部２とを一体に屈曲形成した取付具３を提供する。釣糸に取付けようとするうき、はりす、錘などの釣部品は、ループ部１に枝糸となる釣糸や撚り戻し環を介して揺動自在に取付ける。釣糸は、釣部品を取付けようとする位置でコイル部２にその螺旋の方向と同方向に巻付けるように巻回すると、釣糸５がコイル部の螺旋の隙間６を通って最終的にコイル部２の中空孔８に挿通される。釣糸に切れ目や結び目ができないので、取付けた後の釣部品の移動も簡単にできる。【選択図】      図１
2007061050.tif 000002
【特許請求の範囲】
【請求項１】
剛性を備えた線材でＶ字状ないしΩ状のループ部(1)とその両側のコイル部(2)とを一体に屈曲形成してなる、釣部品の取付具。
【請求項２】
Ｖ字状ないしΩ状のループ部(1)とその両側のコイル部(2)とを一体に屈曲形成してなる剛性を備えた線材の前記ループ部にうき(7a)、釣針(10)、錘(7c)、疑似餌その他の釣部品を揺動自在に連結してなる、取付具を備えた釣部品。
【発明の詳細な説明】
【技術分野】
【０００１】
この発明は、釣糸（主に幹糸を言う。以下同じ。）にうき、釣針、錘、疑似餌その他の釣部品を取付けるのに使用する釣部品の取付具及びそのような取付具を備えた釣部品に関するものである。
【背景技術】
【０００２】
釣をするには釣糸にうき、釣針、錘、疑似餌その他の釣部品を適切な位置及び間隔で取付けた仕掛けが必要である。仕掛けは、釣ろうとする魚の種類や釣場の状態に応じて標準的なものが種々提案されており、また、釣師の技法や手腕に応じた好みもあることから、釣師は、釣糸に種々の態様で釣部品を取付けて最適と考える仕掛けを造っている。
【０００３】
この仕掛けに用いる各種の釣部品を釣糸に取付ける取付具として、従来、三つ環、撚り戻し環、うき止めなどが用いられているが、釣糸へのはりすの取付などは、糸を結び付けることにより行われているのが普通である。
【特許文献１】実開昭６１−１２８９７６号公報
【特許文献２】実開昭６４−２４９７０号公報
【発明の開示】
【発明が解決しようとする課題】
【０００４】
しかし三つ環や撚り戻し環を使用しても部品を取付ける際には、釣糸の端部を環に結び付ける必要があり、特殊な結び目を造る結び方で結ばないと、糸が滑って外れたり無理な力がかかって糸が切れたりすることがあり、仕掛けを造るのが大変面倒で時間がかかるという問題があった。
【０００５】
この発明は、釣糸を切ったり結んだりしないで釣糸途中の所望の箇所に簡単に釣部品を取付けることができる取付具を提供することを課題とするものである。
【課題を解決するための手段】
【０００６】
この発明は、剛性を備えた線材でＶ字状ないしΩ状のループ部１とその両端のコイル部２とを一体に屈曲形成した製造容易で簡単な構造の取付具３を提供することにより、上記課題を解決したものである。
【０００７】
線材は、通常の使用状態で作用する外力により変形しない剛性を備えたものとし、ピアノ線、ステンレス線などの金属線材、特に成型後に焼き入れなどにより剛性を付与できる金属線材を使用するのが実用的である。Ｖ字状ないしΩ状のループ部１には、一般的なＶ字状、Ｕ字状、Ω状の他、図２（ａ）に示すような細長いＶ字ないしΩ状、更に同図（ｂ）に示すように、先端にループ１ａを残してその幹部１ｂを捻った形状も含まれる。コイル部２は、螺旋状に巻いた線材４相互を密着させないで釣糸５が通る間隙６を設けた螺旋に形成する。
【０００８】
釣糸に取付けようとするうき７ａ、はりす７ｂ、錘７ｃなどの釣部品７は、ループ部１に枝糸となる釣糸や撚り戻し環を介して、あるいはうきや錘に設けられている輪をループ部１の線材に挿通することにより、揺動自在に取付ける。釣糸５は、釣部品７を取付けようとする位置でコイル部２にその螺旋の方向と同方向に巻付けるように巻回すると、釣糸５がコイル部の螺旋の隙間６を通って最終的にコイル部２の中空孔８に挿通される。
【０００９】
従って、ループ部１の両側のコイル部２に上記方法で該釣糸５を挿通すれば、釣糸５が取付具３を貫通するので、ループ部１の根本の釣糸が露出している部分に生ゴムや鉛の玉９の切目を挟み込んで釣糸５に沿う取付具３の移動を防止してやれば、取付具３に取付けた釣部品７が釣糸の所望箇所に取付けられることとなる。
【００１０】
生ゴムや鉛の玉９を挟み込む代わりに、図５に示すように、取付具３を貫通する釣糸５をループ部１の根本から引出して捻ってからループ部１に引っ掛けてやれば、同様に取付具３が釣糸５に沿って移動するのを防止できる。
【００１１】
図２（ｂ）に示すようなループ部の幹部１ｂを捻った構造では、取付具３へのうき７ａ、錘７ｃ、釣針１０などの釣部品の取付は従来と同じ手間であるが、図１や図２（ａ）に示すループ部の基端部ないし幹部を捻らない構造であれば、コイル部２の線材の先から撚り戻し環の輪やはりすに作った輪を通してゆくことにより、釣部品をこの発明の取付具３に簡単に取付けることができる。更に、釣糸５への取付には、糸の切断や結び付け作業が不要で、短時間かつ簡単にできると共に、釣糸５に切れ目や結び目ができないので、取付けた後の釣部品の移動も簡単にできる。
【００１２】
この出願の請求項２の発明に係る釣部品は、上記の取付具に予め各種の部品を取付けた釣部品で゜Ｖ字状ないしΩ状のループ部１とその両側のコイル部２とを一体に屈曲形成してなる線材の前記ループ部にうき７ａ、釣針１０、錘７ｃ、疑似餌その他の部品を揺動自在に連結してなる取付具付の釣部品である。
【発明の効果】
【００１３】
この発明の取付具を用いることにより、幹糸を始めとする各種の釣糸へのうき、釣針、はりす、錘、疑似餌その他の釣部品の取付作業が短時間で容易に行うことができるようになり、釣部品の取付も確実になる。そのため、魚の種類や釣場の状況にあった適切な仕掛けを短時間で容易に造ることができ、取付が悪くて仕掛けから釣部品が脱落することも防止できる。
【００１４】
そして構造が簡単で一本の線材を曲げるだけで製造できるから、材料の入手及び製造が容易であり、仕掛けを造る際に多数必要とする釣部品取付具を安価に提供できる。
【発明を実施するための最良の形態】
【００１５】
図１及び図２はこの発明の釣部品の取付具の斜視図で、１はＶ字状ないしΩ状のループ部、２はその両側のコイル部である。ループ部１とコイル部２は、一本の金属線材、たとえはステンレス線材を屈曲して一体に形成したものである。コイル部２は、小径で、コイル中心に釣糸の太さよりあまり大きくない径の中空孔８が形成され、かつコイルの螺旋相互の間には、釣糸が通過可能な間隙６が存在している。すなわち、コイル部２は、密着巻きでなく、釣糸が通過可能な間隙６を残した螺旋である。コイルの巻数は３〜６巻程度でよく、巻方向は両側同方向でよい。
【００１６】
上記構造の取付具３への釣糸５の挿通は、図３に示すように、コイル部２の一方に釣糸５を添えて当該コイル部と共に指でつまみ、他方のコイル部側に伸びている釣糸５を指でつまんで当該他方のコイル部２にその巻方向に釣糸５を巻付けるように巻回する。すると釣糸５は、螺旋の隙間６を通ってコイル部２の中空孔８に導かれ、最終的には中空孔８に挿通される。この動作を両側のコイル部２に対して行うことにより、図４に示すように釣糸５が取付具３の両側のコイル部２を貫通するから、ループ部１の根本部分の釣糸５に生ゴムの玉９の切目を挟み込んで、取付具３が釣糸に沿って移動するのを防止する。
【００１７】
上記生ゴムの玉などによる移動防止の代わりに、図５に示すように、ループ部１の根本から釣糸５を引出して捻った上でループ部１に引っ掛けることにより、取付具３の移動を防止することもできる。ループ部１にうきやはりすが取付けられていても、引出した釣糸を当該うきやはりすを通してループ部１に引っ掛けてやればよい。
【００１８】
図６はこの発明の取付具３を用いて釣糸５にうき７ａ、釣針１０の付いたはりす７ｂ、錘７ｃなどを取付けた仕掛けの一部を示した図で、図の例では、うき７ａ及び錘７ｃは撚り戻し環１１で取付具３のループ部１に取付けられており、はりす７ｂは取付具３のループ部１に基端を結び付けて取付けられている。
【００１９】
この例に示すように、この発明の取付具を用いることにより、うき、釣針、錘、疑似餌などの釣部品を簡単にかつ釣師が望む任意の位置に取付けることができる。
【図面の簡単な説明】
【００２０】
【図１】この発明の釣部品の取付具の一例を示す斜視図
【図２】ループ部の他の形状の例を示す斜視図
【図３】図１の取付具に釣糸を挿通する作業の説明図
【図４】取付具の移動を防止する第１手段を示す斜視図
【図５】取付具の移動を防止する第２手段を示す斜視図
【図６】この発明の取付具で釣糸に釣部品を取付けた状態を模式的に示す図
【符号の説明】
【００２１】
１  ループ部
２  コイル部
7a  うき
7c  錘
10  釣針
【図１】
2007061050.tif 000003
【図２】
2007061050.tif 000004
【図３】
2007061050.tif 000005
【図４】
2007061050.tif 000006
【図５】
2007061050.tif 000007
【図６】
2007061050.tif 000008